(57)【要約】【課題】異なる著作権制御方式間でのメッセージの送受信を可能とする。【解決手段】  メッセージ変換装置５０が、著作権制御方式が異なるメッセージ方式Ａシステム１００ａ、メッセージ方式Ｂシステム１００ｂ、メッセージ方式Ｃシステム１００ｃ間で送受信するマルチメディアメッセージを受信し、送信先のシステムが採用する著作権制御方式のマルチメディアメッセージに変換して送信する。【選択図】図１
2005100024.tif 000002
【特許請求の範囲】
【請求項１】
メッセージを受信する受信手段と、
該受信手段が受信したメッセージを、該メッセージに含まれる送信情報を該送信情報の著作権に基づいて制御する著作権制御方式が異なるメッセージに変換する変換手段と、
該変換手段が変換したメッセージを送信する送信手段と
を備えることを特徴とするメッセージ変換装置。
【請求項２】
前記変換手段は、前記受信したメッセージに含まれる前記制御に使用する著作権制御情報、前記著作権に関する文字列又は前記著作権に関する添付データの少なくとも１つに基づいて変換することを特徴とする請求項１に記載のメッセージ変換装置。
【請求項３】
前記変換手段は、前記受信したメッセージを、メッセージ単位で前記制御を行うメッセージ単位著作権制御方式と、前記送信情報に含まれる要素単位で前記制御を行う要素単位著作権制御方式との間で変換することを特徴とする請求項１又は２に記載のメッセージ変換装置。
【請求項４】
前記変換手段は、前記要素単位著作権制御方式のメッセージを前記メッセージ単位著作権制御方式のメッセージに変換する際に、前記要素単位の前記制御の有無又は前記制御の内容の少なくとも１つに基づいて要素を分類し、該分類した要素毎のメッセージに分割することを特徴とする請求項３に記載のメッセージ変換装置。
【請求項５】
前記変換手段は、前記受信したメッセージを、メッセージ単位で前記制御を行うメッセージ単位著作権制御方式又は前記送信情報に含まれる要素単位で前記制御を行う要素単位著作権制御方式の少なくとも１つと、前記制御を行わない著作権制御方式との間で変換することを特徴とする請求項１又は２に記載のメッセージ変換装置。
【発明の詳細な説明】
【技術分野】
【０００１】
本発明は、メッセージ変換装置に関する。
【背景技術】
【０００２】
メッセージに含まれる送信情報を、その送信情報の著作権に基づいて制御する著作権制御方式には様々なものがある。メッセージの送受信を行うシステムは、それぞれ異なる著作権制御方式を採用している。
【０００３】
マルチメディアメッセージサービス（Multimedia  Messaging  Service、以下「ＭＭＳ」という）を行うシステムでは、メッセージ単位で著作権制御を行う著作権制御方式を採用している（例えば、非特許文献１参照）。例えば、図１６に示すように、ＭＭＳ端末２１０がコンテンツプロバイダーサーバ（Content  Providerサーバ、以下「ＣＰサーバ」という）２３０に、コンテンツを要求するコンテンツ購入操作を行う（Ｓ３０１）。ＣＰサーバ２３０は、コンテンツを含むメッセージに、転送禁止を示すヘッダ「Message  Distribution  Indicator」を付加して、ＭＭＳリレー／サーバ２２０に送信し、ＭＭＳリレー／サーバ２２０にＭＭＳ端末２１０への送信を要求する（Ｓ３０２）。
【０００４】
ＭＭＳリレー／サーバ２２０は、ヘッダ「Message  Distribution  Indicator」付きのコンテンツを含むＭＭＳ端末２１０宛のメッセージの着信をＭＭＳ端末２１０に通知する（Ｓ３０３）。ＭＭＳ端末２１０は、ＭＭＳリレー／サーバ２２０に対して、ＷＳＰ（Wireless  Session  Protocol）、ＨＴＴＰ（Hyper  Text  Transfer  Protocol）に従う受信動作を行う（Ｓ３０４）。そして、ＭＭＳリレー／サーバ２２０は、ヘッダ「Message  Distribution  Indicator」付きのメッセージをＭＭＳ端末２１０に送信し、ＭＭＳ端末２１０が受信する（Ｓ３０５）。そして、受信したヘッダ「Message  Distribution  Indicator」付きのメッセージは、ＭＭＳ端末２１０が転送できないように制御される。
【０００５】
又、メッセージに含まれるマルチメディア情報を構成するマルチメディア要素単位で著作権制御を行う著作権制御方式を採用するシステムもある。例えば、図１７に示すように、移動端末３３０が、再配布禁止を示す再配布禁止識別子をマルチメディア要素単位で付加したメッセージをメッセージサーバ３２０に送信する（Ｓ４０１）。メッセージサーバ３２０は、マルチメディア要素単位で再配布禁止識別子が付加されたメッセージを、移動端末３１０に送信する（Ｓ４０２）。そして、受信したメッセージに含まれる再配布禁止識別子が付加されたマルチメディア要素は、移動端末３１０が転送して再配布することができないように制御される（Ｓ４０３）。
【非特許文献１】３ＧＰＰ  ＴＳＧ−Ｔ２＃１７，「３ＧＰＰ  ＴＳ  ２３．１４０  ＣＲ  ０７４  Ｖｅｒｓｉｏｎ５．２．０」，２００２年５月
【発明の開示】
【発明が解決しようとする課題】
【０００６】
しかしながら、従来のように、著作権制御方式が異なる各システム内だけでメッセージを送受信するのではなく、著作権制御方式が異なるシステム間でメッセージを送受信しようとした場合、各システムでは、異なる著作権制御方式のメッセージを処理できず、メッセージを送受信できないおそれがある。又、システム間で、メッセージに含まれる転送禁止を示すヘッダや再配布禁止識別子が正常に送受信されなかったり、転送禁止を示すヘッダや再配布禁止識別子が欠落したメッセージが送受信されたりするおそれもある。又、同一のシステム内であっても、著作権制御方式が異なる端末の間では、同様の問題を生じるおそれがある。その結果、各システムでは、メッセージに含まれる送信情報を、その著作権に基づいて適切に制御できないおそれがある。
【０００７】
そこで、本発明は、異なる著作権制御方式間でのメッセージの送受信を可能とすることを目的とする。
【課題を解決するための手段】
【０００８】
本発明に係るメッセージ変換装置は、メッセージを受信する受信手段と、受信手段が受信したメッセージを、メッセージに含まれる送信情報をその送信情報の著作権に基づいて制御する著作権制御方式が異なるメッセージに変換する変換手段と、変換手段が変換したメッセージを送信する送信手段とを備えることを特徴とする。
【０００９】
このようなメッセージ変換装置によれば、メッセージを受信し、受信したメッセージを著作権制御方式が異なるメッセージに変換して送信することができる。そのため、メッセージ変換装置は、著作権制御方式が異なるシステム間や端末間で送受信するメッセージを受信し、送信先のシステムや端末が採用する著作権制御方式のメッセージに変換して送信することができる。よって、異なる著作権制御方式間でもメッセージを適切に送受信できる。
【００１０】
変換手段は、受信したメッセージに含まれる制御に使用する著作権制御情報、著作権に関する文字列又は著作権に関する添付データの少なくとも１つに基づいて変換することが好ましい。これによれば、メッセージ変換装置は、受信したメッセージに含まれる著作権制御情報や著作権に関する文字列、著作権に関する添付データに従って変換できる。そのため、メッセージ変換装置は、メッセージ送信元の著作権に関する意図を反映して、メッセージを変換できる。
【００１１】
変換手段は、受信したメッセージを、メッセージ単位で制御を行うメッセージ単位著作権制御方式と、送信情報に含まれる要素単位で制御を行う要素単位著作権制御方式との間で変換することができる。要素とは、送信情報を構成するデータである。これによれば、メッセージ変換装置は、送信先のシステムや端末が要素単位著作権制御方式を採用している場合に、メッセージ単位著作権制御方式に従うメッセージを受信しても、要素単位著作権制御方式に従うメッセージに変換して送信できる。同様に、メッセージ変換装置は、送信先のシステムや端末がメッセージ単位著作権制御方式を採用している場合に、要素単位著作権制御方式に従うメッセージを受信しても、メッセージ単位著作権制御方式に従うメッセージに変換して送信できる。
【００１２】
変換手段は、要素単位著作制御方式のメッセージをメッセージ単位著作権制御方式のメッセージに変換する際に、要素単位の制御の有無又は制御の内容の少なくとも１つに基づいて要素を分類し、分類した要素毎のメッセージに分割してもよい。これによれば、メッセージ単位著作権制御方式に変換する結果、制御が行われる要素と制御が行われない要素がある場合や、要素毎に制御内容が異なる場合であっても、メッセージに含まれる全ての要素が同じ制御内容に変換されるのを回避して、メッセージ変換装置は、制御の有無や制御内容に基づいて分類した要素毎のメッセージに分けて変換できる。よって、メッセージ変換装置は、送信元の意図をより適切に反映して変換できる。
【００１３】
又、変換手段は、受信したメッセージを、メッセージ単位著作権制御方式又は要素単位制御方式の少なくとも１つと、制御を行わない著作権制御方式との間で変換してもよい。これによれば、メッセージ変換装置は、送信先のシステムや端末がメッセージ単位著作権制御方式又は要素単位著作権制御方式を採用している場合に、制御を行わない著作権制御方式のメッセージを受信しても、メッセージ単位著作権制御方式又は要素単位著作権制御方式に従うメッセージに変換して送信できる。同様に、メッセージ変換装置は、送信先のシステムや端末が制御を行わない著作権制御方式を採用している場合に、メッセージ単位著作権制御方式又は要素単位著作権制御方式に従うメッセージを受信しても、制御を行わない著作権制御方式のメッセージに変換して送信できる。
【発明の効果】
【００１４】
以上説明したように、本発明によれば、異なる著作権制御方式間でのメッセージの送受信が可能となる。
【発明を実施するための最良の形態】
【００１５】
〔メッセージシステム〕
図１に示すように、メッセージシステム１００は、メッセージ方式Ａシステム１００ａと、メッセージ方式Ｂシステム１００ｂと、メッセージ方式Ｃシステム１００ｃと、メッセージ変換装置５０とを備える。メッセージ方式Ａシステム１００ａ、メッセージ方式Ｂシステム１００ｂ、メッセージ方式Ｃシステム１００ｃは、送信情報としてマルチメディア情報及び本文を含むマルチメディアメッセージを送受信する。マルチメディア情報は、複数のマルチメディア要素を含む。マルチメディア要素とは、マルチメディア情報を構成するデータである。マルチメディア情報は、所定の基準に従ってマルチメディア要素に分けられている。例えば、マルチメディア情報がデータ種別に応じてマルチメディア要素に分けられている場合、マルチメディア要素は、テキストデータ、音声データ、静止画像データ、動画像データなどになる。送信情報を要素に分ける基準はデータ種別に限定されず、送信元の意図により送信情報を要素に分けることができる。
【００１６】
メッセージ方式Ａシステム１００ａ、メッセージ方式Ｂシステム１００ｂ、メッセージ方式Ｃシステム１００ｃはそれぞれ、異なる著作権制御方式を採用している。メッセージシステム１００は、著作権制御方式が異なる複数のシステムを、メッセージ変換装置５０を介して接続した構成となっている。著作権制御方式とは、メッセージに含まれる送信情報をその送信情報の著作権に基づいて制御する制御方式である。尚、送信情報は複数の要素を含むため、送信情報の著作権も複数の要素の著作権を含む。著作権制御方式には、メッセージ単位で著作権に基づく制御を行うメッセージ単位著作権制御方式、要素単位で著作権に基づく制御を行う要素単位著作権制御方式、著作権に基づく制御を行わない著作権制御なし方式がある。
【００１７】
図２に示すように、メッセージ方式Ａシステム１００ａは、メッセージ単位著作権制御方式を採用している。メッセージ方式Ｂシステム１００ｂは、要素単位著作権制御方式を採用している。メッセージ方式Ｃシステム１００ｃは、著作権制御なし方式を採用している。メッセージ単位著作権制御方式では、図３に示すように、メッセージ単位で著作権制御情報２ａが付加され、マルチメディア要素１１〜１５を含むマルチメディアメッセージ１ａとなっている。要素単位著作権制御方式では、図４に示すように、要素単位で著作権制御情報２ｂが付加され、マルチメディア要素１１，１４，１５にのみ著作権制御情報２ｂが付加され、マルチメディア要素１２，１３には著作権制御情報２ｂが付加されていないマルチメディアメッセージ１ｂとなっている。著作権制御なし方式では、図５に示すように、マルチメディアメッセージ１ｃにも、マルチメディア要素１１〜１５にも、著作権制御情報が付加されない。
【００１８】
著作権制御情報とは、送信情報の著作権に基づく制御に使用する制御情報である。著作権制御情報には、転送禁止、再配布禁止、複製禁止、転送回数の制限、再生回数の制限などの制御内容を示すものがある。著作権制御情報は、ヘッダ、識別子、フラグなどの形式で、メッセージや要素に付加できる。具体的には、著作権制御情報には、転送禁止を示すヘッダ「Message  Distribution  Indicator」や、再配布禁止を示す再配布禁止識別子などがある。著作権制御情報が示す制御の内容や著作権制御情報の形式は、メッセージ方式Ａシステム１００ａ、メッセージ方式Ｂシステム１００ｂ毎に定められる。そして、メッセージ方式Ａシステム１００ａ、メッセージ方式Ｂシステム１００ｂはそれぞれ、著作権制御情報に基づいて、転送や再配布、複製を禁止する制御や、転送回数や再生回数を制限する制御のような著作権に基づく送信情報の利用を制御する。
【００１９】
図１に示すように、メッセージ方式Ａシステム１００ａは、メッセージ方式Ａ端末１０ａと、無線基地局２０ａと、移動通信網Ａ３０ａと、メッセージ方式Ａサーバ４０ａとを備える。メッセージ方式Ｂシステム１００ｂは、メッセージ方式Ｂ端末１０ｂと、無線基地局２０ｂと、移動通信網Ｂ３０ｂと、メッセージ方式Ｂサーバ４０ｂとを備える。メッセージ方式Ｃシステム１００ｃは、メッセージ方式Ｃ端末１０ｃと、無線基地局２０ｃと、移動通信網Ｃ３０ｃと、メッセージ方式Ｃサーバ４０ｃとを備える。メッセージ方式Ａサーバ４０ａ、メッセージ方式Ｂサーバ４０ｂ、メッセージ方式Ｃサーバ４０ｃは、メッセージ変換装置５０を介して、相互にマルチメディアメッセージを送受信する。
【００２０】
メッセージ方式Ａ端末１０ａ、メッセージ方式Ａサーバ４０ａは、メッセージ単位著作権制御方式に従って、マルチメディアメッセージを送受信する。メッセージ方式Ａサーバ４０ａは、メッセージ単位で付加された著作権制御情報に基づいて、転送や再配布、複製を禁止する制御や、転送回数や再生回数を制限する制御など、著作権に基づく送信情報の利用の制御を、メッセージ単位で行う。メッセージ方式Ａ端末１０ａは、無線基地局２０ａを介して移動通信網Ａ３０ａに接続し、メッセージ方式Ａサーバ４０ａとマルチメディアメッセージを送受信する。そして、メッセージ方式Ａ端末１０ａは、メッセージ方式Ａサーバ４０ａを介して、メッセージ方式Ｂ端末１０ｂやメッセージ方式Ｃ端末１０ｃとマルチメディアメッセージを送受信する。メッセージ方式Ａシステム１００ａとしては、例えば、ＭＭＳを行うシステムを用いることができ、メッセージ方式Ａサーバ４０ａとしてＭＭＳリレー／サーバを、メッセージ方式Ａ端末１０ａとしてＭＭＳ端末を用いることができる。
【００２１】
メッセージ方式Ｂ端末１０ｂ、メッセージ方式Ｂサーバ４０ｂは、要素単位著作権制御方式に従って、マルチメディアメッセージを送受信する。メッセージ方式Ｂサーバ４０ｂは、要素単位で付加された著作権制御情報に基づいて、転送や再配布、複製を禁止する制御や、転送回数や再生回数を制限する制御など、著作権に基づく送信情報の利用の制御を、要素単位で行う。メッセージ方式Ｂ端末１０ｂは、無線基地局２０ｂを介して移動通信網Ｂ３０ｂに接続し、メッセージ方式Ｂサーバ４０ｂとマルチメディアメッセージを送受信する。そして、メッセージ方式Ｂ端末１０ｂは、メッセージ方式Ｂサーバ４０ｂを介して、メッセージ方式Ａ端末１０ａやメッセージ方式Ｃ端末１０ｃとマルチメディアメッセージを送受信する。メッセージ方式Ｂシステム１００ｂとしては、例えば、ｉ−ｍｏｄｅ（登録商標）システムを用いることができ、メッセージ方式Ｂサーバ４０ｂとしてｉ−ｍｏｄｅ（登録商標）サーバを、メッセージ方式Ｂ端末１０ｂとしてｉ−ｍｏｄｅ（登録商標）端末を用いることができる。
【００２２】
メッセージ方式Ｃ端末１０ｃ、メッセージ方式Ｃサーバ４０ｃは、著作権制御なし方式に従って、マルチメディアメッセージを送受信する。メッセージ方式Ｃ端末１０ｃは、無線基地局２０ｃを介して移動通信網Ｃ３０ｃに接続し、メッセージ方式Ｃサーバ４０ｃとマルチメディアメッセージを送受信する。そして、メッセージ方式Ｃ端末１０ｃは、メッセージ方式Ｃサーバ４０ｃを介して、メッセージ方式Ａ端末１０ａやメッセージ方式Ｂ端末１０ｂとマルチメディアメッセージを送受信する。
【００２３】
メッセージ変換装置５０は、メッセージを受信し、受信したメッセージを著作権制御方式が異なるメッセージに変換して送信する。メッセージ変換装置５０は、メッセージ方式Ａシステム１００ａ、メッセージ方式Ｂシステム１００ｂ、メッセージ方式Ｃシステム１００ｃの間で、マルチメディアメッセージの変換を行う。
【００２４】
図２に示すように、メッセージ変換装置５０は、メッセージ方式Ａシステム１００ａから送信されたメッセージ単位著作権制御方式に従うマルチメディアメッセージを受信する。メッセージ変換装置５０は、受信したメッセージ単位著作権制御方式に従うマルチメディアメッセージを、要素単位著作権制御方式に従うマルチメディアメッセージに変換して、メッセージ方式Ｂシステム１００ｂに送信したり、著作権制御なし方式に従うマルチメディアメッセージに変換して、メッセージ方式Ｃシステム１００ｃに送信したりする。
【００２５】
又、メッセージ変換装置５０は、メッセージ方式Ｂシステム１００ｂから送信された要素単位著作権制御方式に従うマルチメディアメッセージを受信する。メッセージ変換装置５０は、受信した要素単位著作権制御方式に従うマルチメディアメッセージを、メッセージ単位著作権制御方式に従うマルチメディアメッセージに変換して、メッセージ方式Ａシステム１００ａに送信したり、著作権制御なし方式に従うマルチメディアメッセージに変換して、メッセージ方式Ｃシステム１００ｃに送信したりする。更に、メッセージ変換装置５０は、メッセージ方式Ｃシステム１００ｃから送信された著作権制御なし方式に従うマルチメディアメッセージを受信する。メッセージ変換装置５０は、受信した著作権制御なし方式に従うマルチメディアメッセージを、メッセージ単位著作権制御方式に従うマルチメディアメッセージに変換して、メッセージ方式Ａシステム１００ａに送信したり、要素単位著作権制御方式に従うマルチメディアメッセージに変換して、メッセージ方式Ｂシステム１００ｂに送信したりする。
【００２６】
メッセージ変換装置５０は、図６に示すように、メッセージ方式Ａシステムインタフェース５１ａと、メッセージ方式Ｂシステムインタフェース５１ｂと、メッセージ方式Ｃシステムインタフェース５１ｃと、変換部５２と、メッセージ方式データベース５３とを備える。
【００２７】
メッセージ方式Ａシステムインタフェース５１ａ、メッセージ方式Ｂシステムインタフェース５１ｂ、メッセージ方式Ｃシステムインタフェース５１ｃはそれぞれ、メッセージ方式Ａシステム１００ａ、メッセージ方式Ｂシステム１００ｂ、メッセージ方式Ｃシステム１００ｃとのインタフェースである。メッセージ方式Ａシステムインタフェース５１ａ、メッセージ方式Ｂシステムインタフェース５１ｂ、メッセージ方式Ｃシステムインタフェース５１ｃはそれぞれ、メッセージ方式Ａサーバ４０ａ、メッセージ方式Ｂサーバ４０ｂ、メッセージ方式Ｃサーバ４０ｃとマルチメディアメッセージを送受信し、メッセージを受信する受信手段と、変換したメッセージを送信する送信手段として機能する。メッセージ方式Ａシステムインタフェース５１ａ、メッセージ方式Ｂシステムインタフェース５１ｂ、メッセージ方式Ｃシステムインタフェース５１ｃはそれぞれ、変換部５２に受信したマルチメディアメッセージを入力し、変換部５２から変換したマルチメディアメッセージを取得する。
【００２８】
変換部５２は、受信手段が受信したメッセージを、メッセージに含まれる送信情報をその送信情報の著作権に基づいて制御する著作権制御方式が異なるメッセージに変換する変換手段である。メッセージ方式データベース５３は、各システム、メッセージ方式Ａシステム１００ａ、メッセージ方式Ｂシステム１００ｂ、メッセージ方式Ｃシステム１００ｃの著作権制御方式を記憶する記憶手段である。更に、メッセージ方式データベース５３は、各システムの著作権制御情報、変換に用いる著作権に関する特定の文字列を記憶する。著作権に関する文字列には、「転送禁止」、「再配布禁止」、「複製禁止」、「コピー禁止」、「転送回数：Ｘ回」、「再生回数：Ｙ回」のように著作権に基づく送信情報の利用の制限内容を示すものがある。メッセージ方式データベース５３は、システム毎に著作権制御方式や著作権制御情報を記憶する。例えば、メッセージ方式データベース５３は、アドレスに含まれる各システムを示す部分と対応付けて、著作権制御方式、著作権制御情報などを記憶する。
【００２９】
変換部５２は、メッセージ方式Ａシステムインタフェース５１ａ、メッセージ方式Ｂシステムインタフェース５１ｂ、メッセージ方式Ｃシステムインタフェース５１ｃから、受信したマルチメディアメッセージを取得する。そして、変換部５２は、取得したマルチメディアメッセージの送信先アドレスに基づいて、メッセージ方式データベース５３を参照し、送信先のシステムの著作権制御方式を判断する。そして、変換部５２は、取得したマルチメディアメッセージを、送信先の著作権制御方式のマルチメディアメッセージに変換する。
【００３０】
変換部５２は、受信したマルチメディメッセージに含まれる著作権制御情報又は著作権に関する文字列の少なくとも１つに基づいて変換する。これによれば、メッセージ変換装置５０は、受信したマルチメディアメッセージに含まれる著作権制御情報や著作権に関する文字列に従って変換できる。そのため、メッセージ変換装置５０は、メッセージ送信元の著作権に関する意図を反映して、マルチメディアメッセージを変換できる。変換部５２は、変換したマルチメディアメッセージを、送信先のシステムとのインタフェースに入力する。
【００３１】
図７〜１３を用いて、変換部５２が行うマルチメディアメッセージの変換を、より詳細に説明する。図７、図８に、メッセージ方式Ａシステムインタフェース５１ａが、メッセージ単位著作権制御方式のメッセージ方式Ａシステム１００ａからマルチメディアメッセージ１ａ，１０１ａを受信し、メッセージ方式Ｂシステムインタフェース５１ｂが、要素単位著作権制御方式のメッセージ方式Ｂシステム１００ｂに、変換部５２が変換したマルチメディアメッセージ１０１ｂを送信する場合を示す。
【００３２】
図７に示すように、変換部５２は、受信したマルチメディアメッセージ１ａに付加されている著作権制御情報２ａが示す制御内容と同一又は類似の制御内容を示すメッセージ方式Ｂシステム１００ｂにおける著作権制御情報２ｂを、メッセージ方式データベース５３から取得する。そして、変換部５２は、メッセージ単位で著作権制御情報２ａが付加されているマルチメディアメッセージ１ａに含まれる全てのマルチメディア要素１１〜１５に、取得した著作権制御情報２ｂを付加して、要素単位で著作権制御情報２ｂが付加されたマルチメディアメッセージ１０１ｂに変換する。変換部５２は、例えば、著作権制御情報２ａが転送禁止を示すヘッダであった場合には、著作権制御情報２ｂとして再配布禁止識別子を付与する。
【００３３】
又、図８に示すように、著作権制御情報２ａが付加されていないマルチメディアメッセージ１０１ａを受信した場合には、変換部５２は、マルチメディアメッセージ１０１ａの題名（Subject）や本文に、メッセージ方式データベース５３が記憶する特定の文字列３が含まれるか否かを判断する。文字列３が含まれている場合には、変換部５２は、文字列３と同一又は類似の制御内容を示すメッセージ方式Ｂシステム１００ｂにおける著作権制御情報２ｂを、メッセージ方式データベース５３から取得する。そして、変換部５２は、文字列３を含むマルチメディアメッセージ１０１ａに含まれる全てのマルチメディア要素１１〜１５に、取得した著作権制御情報２ｂを付加して、要素単位で著作権制御情報２ｂが付加されたマルチメディアメッセージ１０１ｂに変換する。
【００３４】
変換部５２は、例えば、文字列３が「転送禁止」であった場合には、著作権制御情報２ｂとして再配布禁止識別子を付加する。尚、変換部５２は、例えば、「テキストデータの転送禁止」のように、文字列３が対象とするマルチメディア要素が判別できる場合には、対象とするマルチメディア要素にのみ、著作権制御情報２ｂを付加してもよい。又、変換部５２は、文字列３が含まれていない場合には、マルチメディアメッセージを変換せずに送信する。
【００３５】
次に、図９〜図１１に、メッセージ方式Ｂシステムインタフェース５１ｂが、要素単位著作権制御方式のメッセージ方式Ｂシステム１００ｂからマルチメディアメッセージ１ｂ，２０１ｂを受信し、メッセージ方式Ａシステムインタフェース５１ａが、メッセージ単位著作権制御方式のメッセージ方式Ａシステム１００ａに、変換部５２が変換したマルチメディアメッセージ１ａ，２０１ａ，３０１ａを送信する場合を示す。
【００３６】
図９に示すように、変換部５２は、受信したマルチメディアメッセージ１ｂに、著作権制御情報２ｂが付加されているマルチメディア要素が含まれるか否かを判断する。変換部５２は、著作権制御情報２ｂが付加されているマルチメディア要素が１つでも含まれる場合には、その著作権制御情報２ｂが示す制御内容と同一又は類似の制御内容を示すメッセージ方式Ａシステム１００ａにおける著作権制御情報２ａを、メッセージ方式データベース５３から取得する。そして、変換部５２は、マルチメディアメッセージに、取得した著作権制御情報２ａを付加し、メッセージ単位で著作権制御情報２ａが付加されたマルチメディアメッセージ１ａに変換する。変換部５２は、例えば、著作権制御情報２ｂが再配布禁止識別子であった場合には、著作権制御情報２ａとして、転送禁止を示すヘッダを付加する。
【００３７】
又、図１０に示すように、変換部５２は、受信したマルチメディアメッセージ１ｂに含まれるマルチメディア要素１１〜１５を、要素単位の制御の有無又は制御の内容の少なくとも１つに基づいて分類してもよい。具体的には、変換部５２は、著作権制御情報２ｂの有無や著作権制御情報２ｂが示す制御内容に基づいて、マルチメディア要素を分類する。図１０の場合、変換部５２は、著作権制御情報２ｂが付加され、著作権に基づく制御が行われるマルチメディア要素１１，１４，１５と、著作権制御情報２ｂが付加されておらず、著作権に基づく制御が行われないマルチメディア要素１２，１３とに分類する。変換部５２は、更に、著作権制御情報２ｂが示す制御内容に基づいて、マルチメディア要素１１，１４，１５を分類してもよい。
【００３８】
変換部５２は、受信したマルチメディアメッセージ１ｂを、分類した要素毎のメッセージに分割する。図１０の場合、変換部５２は、マルチメディアメッセージ１ｂを、著作権制御情報２ｂが付加されていたマルチメディア要素１１，１４，１５を含むマルチメディアメッセージ２０１ａと、著作権制御情報２ｂが付加されていないマルチメディア要素１２，１３を含むマルチメディアメッセージ３０１ａに再構成して、分割する。
【００３９】
そして、変換部５２は、著作権制御情報２ｂが示す制御内容と同一又は類似の制御内容を示すメッセージ方式Ａシステム１００ａにおける著作権制御情報２ａを、メッセージ方式データベース５３から取得する。変換部５２は、著作権制御情報２ｂが付加されていたマルチメディア要素１１，１４，１５を再構成したマルチメディアメッセージ２０１ａにのみ、取得した著作権制御情報２ａを付加する。このようにして、変換部５２は、受信したマルチメディアメッセージ１ｂを、メッセージ単位で著作権制御情報２ａが付加されたマルチメディアメッセージ２０１ａと、著作権制御情報２ａが付加されていないマルチメディアメッセージ３０１ａとに変換する。尚、変換部５２は、更に、著作権制御情報２ｂが示す制御内容に基づいて分類した要素毎のメッセージに分割し、各メッセージにそれぞれの制御内容を示す著作権制御情報２ａを付加してもよい。
【００４０】
これによれば、メッセージ単位著作権制御方式に変換する結果、制御が行われるマルチメディア要素と制御が行われないマルチメディア要素がある場合や、マルチメディア要素毎に制御内容が異なる場合であっても、マルチメディアメッセージに含まれる全てのマルチメディア要素が同じ制御内容に変換されるのを回避して、メッセージ変換装置５０は、制御の有無や制御内容に基づいて分類したマルチメディア要素毎のマルチメディアメッセージに分けて変換できる。よって、メッセージ変換装置５０は、送信元の意図をより適切に反映して変換できる。
【００４１】
更に、図１１に示すように、著作権制御情報２ｂがいずれのマルチメディア要素１１〜１５にも付加されていないマルチメディアメッセージ２０１ｂを受信した場合には、変換部５２は、マルチメディアメッセージ２０１ｂの題名（Subject）や本文に、メッセージ方式データベース５３が記憶する特定の文字列３が含まれるか否かを判断する。文字列３が含まれている場合には、変換部５２は、文字列３と同一又は類似の制御内容を示すメッセージ方式Ａシステム１００ａにおける著作権制御情報２ａを、メッセージ方式データベース５３から取得する。そして、変換部５２は、マルチメディアメッセージに、取得した著作権制御情報２ａを付加し、メッセージ単位で著作権制御情報２ａが付加されたマルチメディアメッセージ１ａに変換する。
【００４２】
変換部５２は、例えば、文字列３が「転送禁止」であった場合には、著作権制御情報２ａとして転送禁止を示すヘッダを付加する。尚、変換部５２は、例えば、「テキストデータの転送禁止」のように、特定の文字列３が対象とするマルチメディア要素が判別できる場合には、マルチメディア要素を、文字列３に基づいて要素単位の制御の有無又は制御の内容を判断して分類し、分類した要素毎のメッセージに分割してもよい。又、変換部５２は、文字列３が含まれていない場合には、マルチメディアメッセージを変換せずに送信する。
【００４３】
図７〜図１１に示したようにして、変換部５２は、受信したマルチメディアメッセージを、メッセージ単位著作権制御方式と、要素単位著作権制御方式との間で変換することができる。これによれば、メッセージ変換装置５０は、送信先のシステムが要素単位著作権制御方式を採用するメッセージ方式Ｂシステム１００ｂの場合に、メッセージ単位著作権制御方式に従うメッセージ方式Ａシステム１００ａからのメッセージを受信しても、要素単位著作権制御方式に従うメッセージに変換して送信できる。同様に、メッセージ変換装置５０は、送信先のシステムがメッセージ単位著作権制御方式を採用するメッセージ方式Ａシステム１００ａの場合に、要素単位著作権制御方式に従うメッセージ方式Ｂシステム１００ｂからのメッセージを受信しても、メッセージ単位著作権制御方式に従うメッセージに変換して送信できる。
【００４４】
次に、図１２に、メッセージ方式Ｃシステムインタフェース５１ｃが、著作権制御なし方式のメッセージ方式Ｃシステム１００ｃからマルチメディアメッセージ１ｃを受信し、メッセージ方式Ａシステムインタフェース５１ａが、メッセージ単位著作権制御方式のメッセージ方式Ａシステム１００ａに、変換部５２が変換したマルチメディアメッセージ１ａを送信する場合、メッセージ方式Ａシステムインタフェース５１ａが、メッセージ方式Ａシステム１００ａからマルチメディアメッセージ１ａを受信し、メッセージ方式Ｃシステムインタフェース５１ｃが、メッセージ方式Ｃシステム１００ｃに、変換部５２が変換したマルチメディアメッセージ１ｃを送信する場合を示す。
【００４５】
変換部５２は、受信したマルチメディアメッセージ１ｃの題名（Subject）や本文に、メッセージ方式データベース５３が記憶する特定の文字列３が含まれるか否かを判断する。文字列３が含まれている場合には、変換部５２は、文字列３と同一又は類似の制御内容を示すメッセージ方式Ａシステム１００ａにおける著作権制御情報２ａを、メッセージ方式データベース５３から取得する。そして、変換部５２は、マルチメディアメッセージに、取得した著作権制御情報２ａを付加し、メッセージ単位で著作権制御情報２ａが付加されたマルチメディアメッセージ１ａに変換する。尚、変換部５２は、文字列３が含まれていない場合には、マルチメディアメッセージを変換せずに送信する。
【００４６】
又、変換部５２は、受信したマルチメディアメッセージ１ａに付加されている著作権制御情報２ａが示す制御内容と同一又は類似の制限内容を示す文字列３を、メッセージ方式データベース５３から取得する。そして、変換部５２は、題名や本文に、取得した文字列３を付加して、文字列３を含むマルチメディアメッセージ１ｃに変換する。変換部５２は、例えば、著作権制御情報２ａが転送禁止を示すヘッダであった場合には、文字列３として「転送禁止」を付加する。
【００４７】
又、図１３に、メッセージ方式Ｃシステムインタフェース５１ｃが、著作権制御なし方式のメッセージ方式Ｃシステム１００ｃからマルチメディアメッセージ１ｃを受信し、メッセージ方式Ｂシステムインタフェース５１ｂが、要素単位著作権制御方式のメッセージ方式Ｂシステム１００ｂに、変換部５２が変換したマルチメディアメッセージ１０１ｂを送信する場合、メッセージ方式Ｂシステムインタフェース５１ｂが、メッセージ方式Ｂシステム１００ｂからマルチメディアメッセージ１０１ｂを受信し、メッセージ方式Ｃシステムインタフェース５１ｃが、メッセージ方式Ｃシステム１００ｃに、変換部５２が変換したマルチメディアメッセージ１ｃを送信する場合を示す。
【００４８】
変換部５２は、受信したマルチメディアメッセージ１ｃの題名（Subject）や本文に、メッセージ方式データベース５３が記憶する特定の文字列３が含まれるか否かを判断する。文字列３が含まれている場合には、変換部５２は、文字列３と同一又は類似の制御内容を示すメッセージ方式Ｂシステム１００ｂにおける著作権制御情報２ｂを、メッセージ方式データベース５３から取得する。そして、変換部５２は、マルチメディアメッセージ１ｃに含まれる全てのマルチメディア要素１１〜１５に、取得した著作権制御情報２ｂを付加して、要素単位で著作権制御情報２ｂが付加されたマルチメディアメッセージ１０１ｂに変換する。尚、変換部５２は、文字列３が含まれていない場合には、マルチメディアメッセージを変換せずに送信する。又、変換部５２は、文字列３が対象とするマルチメディア要素が判別できる場合には、対象とするマルチメディア要素にのみ、著作権制御情報２ｂを付加してもよい。
【００４９】
又、変換部５２は、受信したマルチメディアメッセージ１０１ｂに含まれるマルチメディア要素に付加されている著作権制御情報２ｂが示す制御内容と同一又は類似の制限内容を示す文字列３を、メッセージ方式データベース５３から取得する。そして、変換部５２は、題名や本文に、取得した文字列３を付加して、文字列３を含むマルチメディアメッセージ１ｃに変換する。変換部５２は、例えば、著作権制御情報２ｂが再配布禁止識別子であった場合には、文字列３として「再配布禁止」を付加する。
【００５０】
図１２、１３に示したようにして、変換部５２は、受信したマルチメディアメッセージを、メッセージ単位著作権制御方式又は要素単位著作権制御方式の少なくとも１つと、著作権制御なし方式との間で変換することができる。これによれば、メッセージ変換装置５０は、送信先のシステムがメッセージ単位著作権制御方式を採用するメッセージ方式Ａシステム１００ａ又は要素単位著作権制御方式を採用するメッセージ方式Ｂシステム１００ｂの場合に、著作権制御なし方式に従うメッセージ方式Ｃシステム１００ｃからのメッセージを受信しても、メッセージ単位著作権制御方式又は要素単位著作権制御方式に従うメッセージに変換して送信できる。同様に、メッセージ変換装置５０は、送信先のシステムが著作権制御なし方式を採用するメッセージ方式Ｃシステム１００ｃの場合に、メッセージ単位著作権制御方式に従うメッセージ方式Ａシステム１００ａ又は要素単位著作権制御方式に従うメッセージ方式Ｂシステム１００ｂからのメッセージを受信しても、著作権制御なし方式のメッセージに変換して送信できる。
【００５１】
〔通信方法〕
次に、図１に示したメッセージ方式Ａシステム１００ａとメッセージ方式Ｂシステム１００ｂとの間の通信方法について説明する。図１４に示すように、メッセージ方式Ａシステム１００ａからメッセージ方式Ｂシステム１００ｂにマルチメディアメッセージを送信する場合、まず、メッセージ方式Ａ端末１０ａが、著作権制御情報として転送禁止を示すヘッダ「Message  Distribution  Indicator」を付加したメッセージ方式Ｂ端末１０ｂ宛のマルチメディアメッセージを、メッセージ方式Ａサーバ４０ａに送信する（Ｓ１０１）。
【００５２】
メッセージ方式Ａサーバ４０ａは、受信したマルチメディアメッセージをメッセージ変換装置５０に送信する（Ｓ１０２）。メッセージ変換装置５０は、受信したマルチメディアメッセージに付加されているヘッダを確認する。メッセージ変換装置５０は、転送禁止を示すヘッダと同一の制御内容を示すメッセージ方式Ｂシステム１００ｂにおける著作権制御情報である再配布禁止識別子を、マルチメディアメッセージに含まれる全てのマルチメディア要素に付加し、要素単位で再配布禁止識別子が付加されたマルチメディアメッセージに変換する（Ｓ１０３）。メッセージ変換装置５０は、変換後のマルチメディアメッセージを、メッセージ方式Ｂサーバ４０ｂに送信する（Ｓ１０４）。そして、メッセージ方式Ｂサーバ４０ｂは、要素単位で再配布禁止識別子が付加されたマルチメディアメッセージを、メッセージ方式Ｂ端末１０ｂに送信する（Ｓ１０５）。
【００５３】
又、メッセージ方式Ａシステム１００ａからメッセージ方式Ｂシステム１００ｂにマルチメディアメッセージを送信する場合に、メッセージ方式Ａ端末１０ａは、転送禁止を示すヘッダ「Message  Distribution  Indicator」を付加せずに、マルチメディアメッセージの題名や本文に、「転送禁止」のような著作権に関する文字列を含めたメッセージ方式Ｂ端末１０ｂ宛のマルチメディアメッセージを、メッセージ方式Ａサーバ４０ａに送信してもよい（Ｓ１０６）。
【００５４】
メッセージ方式Ａサーバ４０ａは、受信したマルチメディアメッセージをメッセージ変換装置５０に送信する（Ｓ１０７）。メッセージ変換装置５０は、受信したマルチメディアメッセージの題名や本文を確認する。メッセージ変換装置５０は、「転送禁止」の文字列と同一の制御内容を示すメッセージ方式Ｂシステム１００ｂにおける著作権制御情報である再配布禁止識別子を、マルチメディアメッセージに含まれる全てのマルチメディア要素に付加して、要素単位で再配布禁止識別子が付加されたマルチメディアメッセージに変換する（Ｓ１０８）。以降、ステップ（Ｓ１０４）、（Ｓ１０５）と同様のステップ（Ｓ１０９）、（Ｓ１１０）が行われる。
【００５５】
メッセージ方式Ｂシステム１００ｂからメッセージ方式Ａシステム１００ａにマルチメディアメッセージを送信する場合、まず、メッセージ方式Ｂ端末１０ｂが、著作権制御情報として再配布禁止識別子を要素単位で付加したメッセージ方式Ａ端末１０ａ宛のマルチメディアメッセージを、メッセージ方式Ｂサーバ４０ｂに送信する（Ｓ１１１）。メッセージ方式Ｂサーバ４０ｂは、受信したマルチメディアメッセージをメッセージ変換装置５０に送信する（Ｓ１１２）。
【００５６】
メッセージ変換装置５０は、受信したマルチメディアメッセージに付加されている識別子を確認する。メッセージ変換装置５０は、再配布禁止識別子と同一の制御内容を示すメッセージ方式Ａシステム１００ａにおける著作権制御情報であるヘッダ「Message  Distribution  Indicator」をマルチメディアメッセージに付加して、マルチメディアメッセージ単位で転送禁止を示すヘッダが付加されたマルチメディアメッセージに変換する（Ｓ１１３）。このとき、メッセージ変換装置５０は、マルチメディア要素を、要素単位の制御の有無や制御の内容に基づいて分類し、分類したマルチメディア要素毎のマルチメディアメッセージに分割してから、ヘッダを付加してもよい。
【００５７】
メッセージ変換装置５０は、変換後のマルチメディアメッセージを、メッセージ方式Ａサーバ４０ａに送信する（Ｓ１１４）。そして、メッセージ方式Ａサーバ４０ａは、マルチメディアメッセージ単位でヘッダ「Message  Distribution  Indicator」が付加されたマルチメディアメッセージを、メッセージ方式Ａ端末１０ａに送信する（Ｓ１１５）。
【００５８】
又、メッセージ方式Ｂシステム１００ｂからメッセージ方式Ａシステム１００ａにマルチメディアメッセージを送信する場合に、メッセージ方式Ｂ端末１０ｂは、再配布禁止識別子を付加せずに、マルチメディアメッセージの題名や本文に、「再配布禁止」のような著作権に関する文字列を含めたメッセージ方式Ａ端末１０ａ宛のマルチメディアメッセージを、メッセージ方式Ｂサーバ４０ｂに送信してもよい（Ｓ１１６）。
【００５９】
メッセージ方式Ｂサーバ４０ｂは、受信したマルチメディアメッセージをメッセージ変換装置５０に送信する（Ｓ１１７）。メッセージ変換装置５０は、受信したマルチメディアメッセージの題名や本文を確認する。メッセージ変換装置５０は、「再配布禁止」の文字列と同一の制御内容を示すメッセージ方式Ａシステム１００ａにおける著作権制御情報であるヘッダ「Message  Distribution  Indicator」を、マルチメディアメッセージに付加して、マルチメディアメッセージ単位で転送禁止を示すヘッダが付加されたマルチメディアメッセージに変換する（Ｓ１１８）。以降、ステップ（Ｓ１１４）、（Ｓ１１５）と同様のステップ（Ｓ１１９）、（Ｓ１２０）が行われる。
【００６０】
次に、図１に示したメッセージ方式Ｃシステム１００ｃと、メッセージ方式Ａシステム１００ａ又はメッセージ方式Ｂシステム１００ｂとの間の通信方法について説明する。図１５に示すように、メッセージ方式Ｃシステム１００ｃからメッセージ方式Ａシステム１００ａにマルチメディアメッセージを送信する場合、まず、メッセージ方式Ｃ端末１０ｃが、マルチメディアメッセージの題名や本文に、「転送禁止」のような著作権に関する文字列を含めたメッセージ方式Ａ端末１０ａ宛のマルチメディアメッセージを、メッセージ方式Ｃサーバ４０ｃに送信する（Ｓ２０１）。
【００６１】
メッセージ方式Ｃサーバ４０ｃは、受信したマルチメディアメッセージをメッセージ変換装置５０に送信する（Ｓ２０２）。メッセージ変換装置５０は、受信したマルチメディアメッセージの題名や本文を確認する。メッセージ変換装置５０は、「転送禁止」の文字列と同一の制御内容を示すメッセージ方式Ａシステム１００ａにおける著作権制御情報であるヘッダ「Message  Distribution  Indicator」を、マルチメディアメッセージに付加して、マルチメディアメッセージ単位で転送禁止を示すヘッダが付加されたマルチメディアメッセージに変換する（Ｓ２０３）。
【００６２】
メッセージ変換装置５０は、変換後のマルチメディアメッセージを、メッセージ方式Ａサーバ４０ａに送信する（Ｓ２０４）。そして、メッセージ方式Ａサーバ４０ａは、マルチメディアメッセージ単位でヘッダ「Message  Distribution  Indicator」が付加されたマルチメディアメッセージを、メッセージ方式Ａ端末１０ａに送信する（Ｓ２０５）。
【００６３】
メッセージ方式Ｃシステム１００ｃからメッセージ方式Ｂシステム１００ｂにマルチメディアメッセージを送信する場合、まず、メッセージ方式Ｃ端末１０ｃが、マルチメディアメッセージの題名や本文に、「再配布禁止」のような著作権に関する文字列を含めたメッセージ方式Ｂ端末１０ｂ宛のマルチメディアメッセージを、メッセージ方式Ｃサーバ４０ｃに送信する（Ｓ２０６）。
【００６４】
メッセージ方式Ｃサーバ４０ｃは、受信したマルチメディアメッセージをメッセージ変換装置５０に送信する（Ｓ２０７）。メッセージ変換装置５０は、受信したマルチメディアメッセージの題名や本文を確認する。メッセージ変換装置５０は、「再配布禁止」の文字列と同一の制御内容を示すメッセージ方式Ｂシステム１００ｂにおける著作権制御情報である再配布禁止識別子を、マルチメディアメッセージに含まれる全てのマルチメディア要素に付加して、要素単位で再配布禁止識別子が付加されたマルチメディアメッセージに変換する（Ｓ２０８）。
【００６５】
メッセージ変換装置５０は、変換後のマルチメディアメッセージを、メッセージ方式Ｂサーバ４０ｂに送信する（Ｓ２０９）。そして、メッセージ方式Ｂサーバ４０ｂは、要素単位で再配布禁止識別子が付加されたマルチメディアメッセージを、メッセージ方式Ｂ端末１０ｂに送信する（Ｓ２１０）。
【００６６】
又、メッセージ方式Ａシステム１００ａからメッセージ方式Ｃシステム１００ｃにマルチメディアメッセージを送信する場合、まず、メッセージ方式Ａ端末１０ａが、ヘッダ「Message  Distribution  Indicator」が付加されたメッセージ方式Ｃ端末１０ｃ宛のマルチメディアメッセージを、メッセージ方式Ａサーバ４０ａに送信する（Ｓ２１１）。
【００６７】
メッセージ方式Ａサーバ４０ａは、受信したマルチメディアメッセージをメッセージ変換装置５０に送信する（Ｓ２１２）。メッセージ変換装置５０は、受信したマルチメディアメッセージに付加されているヘッダを確認する。メッセージ変換装置５０は、転送禁止を示すヘッダと同一の制限内容を示す文字列「転送禁止」を、マルチメディアメッセージの題名や本文に付加して、「転送禁止」の文字列を含むマルチメディアメッセージに変換する（Ｓ２１３）。メッセージ変換装置５０は、変換後のマルチメディアメッセージを、メッセージ方式Ｃサーバ４０ｃに送信する（Ｓ２１４）。そして、メッセージ方式Ｃサーバ４０ｃは、「転送禁止」の文字列を含むマルチメディアメッセージを、メッセージ方式Ｃ端末１０ｃに送信する（Ｓ２１５）。
【００６８】
尚、メッセージ方式Ｂシステム１００ｂからメッセージ方式Ｃシステム１００ｃにマルチメディアメッセージを送信する場合も同様にして、メッセージ変換装置５０は、再配布禁止識別子に基づいて、題名や本文に「再配布禁止」の文字列を含むマルチメディアメッセージに変換して、メッセージ方式Ｃサーバ４０ｃに送信できる。
【００６９】
〔効果〕
このようなメッセージ変換装置５０、メッセージシステム１００及び通信方法によれば、メッセージ変換装置５０が、マルチメディアメッセージを受信し、受信したマルチメディアメッセージを著作権制御方式が異なるマルチメディアメッセージに変換して送信することができる。そのため、メッセージ変換装置５０は、著作権制御方式が異なるメッセージ方式Ａシステム１００ａ、メッセージ方式Ｂシステム１００ｂ、メッセージ方式Ｃシステム１００ｃ間で送受信するマルチメディアメッセージを受信し、送信先のシステムが採用する著作権制御方式のマルチメディアメッセージに変換して送信できる。
【００７０】
よって、著作権制御方式が異なるシステム間でもマルチメディアメッセージを適切に送受信できる。その結果、メッセージ変換装置５０は、送信先がメッセージ方式Ａシステム１００ａ、メッセージ方式Ｂシステム１００ｂであっても、その著作権制御情報を欠落することなく伝達できる。即ち、著作権制御方式が異なるシステム間でも、マルチメディアメッセージを、著作権制御情報を保持したまま送受信できる。そして、メッセージ方式Ａシステム１００ａ、メッセージ方式Ｂシステム１００ｂは、受信した著作権制御情報に従って、送信元の著作権に関する意図を反映した、マルチメディアメッセージに含まれるマルチメディア情報の著作権に基づく制御ができる。
【００７１】
又、メッセージ変換装置５０は、著作権制御を行わないメッセージ方式Ｃシステム１００ｃのメッセージ方式Ｃ端末１０ｃに対しても、著作権に関する文字列を含むマルチメディアメッセージを送信できる。そのため、メッセージ変換装置５０は、メッセージ方式Ｃ端末１０ｃのユーザに、送信元の著作権に関する意図を伝えることができる。
【００７２】
従って、マルチメディア情報の安全な流通が可能となる。又、著作権制御方式に対する考え方が異なるシステム間でも、著作権管理のレベルを保持することができ、サービス向上に寄与できる。
【００７３】
〔変更例〕
本発明は、上記実施の形態に限定されるものではなく、種々の変更が可能である。例えば、上記実施形態では、変換部５２が、著作権に関する文字列が題名や本文に含まれるか否かを判断している。しかし、変換部５２は、著作権に関する文字列がメッセージに含まれているか否かを判断できればよく、例えば、著作権に関する文字列が宛先やマルチメディア情報中に含まれているか否かを判断してもよい。変換部５２は、宛先として、「Ｔｏ：」、「Ｃｃ：」、「Ｂｃｃ：」などに著作権に関する文字列が含まれているか否かを判断する。
【００７４】
宛先に含める著作権に関する文字列として、著作権に基づく送信情報の利用の制限内容を示すアドレスを用いることができる。例えば、予め「転送禁止」、「再配布禁止」、「複製禁止」、「コピー禁止」、「転送回数：Ｘ回」、「再生回数：Ｙ回」のような制限内容を示すアドレスを定めておき、用いることができる。例えば、メッセージの「Ｔｏ：」に送信先のアドレスを設定し、「Ｃｃ：」や「Ｂｃｃ：」に制限内容を示すアドレスを設定することができる。
【００７５】
又、変換部５２は、メッセージに含まれる著作権に関する添付データに基づいて変換してもよい。著作権に関する添付データとしては、著作権に基づく送信情報の利用の制限内容を示すデータを用いることができる。例えば、予め「転送禁止」、「再配布禁止」、「複製禁止」、「コピー禁止」、「転送回数：Ｘ回」、「再生回数：Ｙ回」のような制限内容を示す添付データを定めておく。そして、添付データを添付ファイルや、マルチメディア要素の一つとして添付して、メッセージに含めることができる。この場合も、変換部５２は、文字列の場合と同様に、著作権に関する添付データがメッセージに含まれているか否かを判断する。そして、変換部５２は、添付データと同一又は類似の制御内容を示す著作権制御情報をメッセージに付加して変換する。又、反対に、変換部５２は、付加されている著作権制御情報と同一又は類似の制限内容を示す添付データをメッセージに付加して、変換する。
【００７６】
端末に制限内容を示すアドレスや添付データを予め記憶しておくことにより、宛先に設定したり、添付ファイル等として添付したりすることが容易となり、文字列の入力ミスにより、メッセージ変換装置が著作権に関する制限内容を認識できないことを防止できる。このような変換に用いる著作権に関する制限内容を示すアドレスや添付データも、メッセージ方式データベース５３が記憶する。尚、図１に示したメッセージ方式Ｃシステム１００ｃでは、著作権に関する文字列を使用して著作権に基づく制御を行ってはいないが、著作権に関する文字列や添付データを用いて、送信情報をその著作権に基づいて制御する場合には、文字列や添付データが著作権制御情報となり、文字列や添付データが示す制御内容に基づいて制御が行われる。
【００７７】
又、制限内容を示すアドレスに基づくメッセージの変換を行う変換ノードを、メッセージ変換装置５０とは分離して設けるようにしてもよい。変換ノードもメッセージの変換を行うメッセージ変換装置であり、メッセージ変換装置５０と同様の構成を備える。そして、その変換部がアドレスに基づくメッセージの変換を行う。宛先に制限内容を示すアドレス、例えば「ｔｏ：ｉｐｒ＠ｍｍｓｃ．ｃｏｍ」が設定されている場合には、メッセージ方式Ｃサーバ４０ｃは、メッセージ変換装置５０ではなく、変換ノードにメッセージを転送し、変換ノードが著作権制御情報を付加して、メッセージを変換するようにしてもよい。
【００７８】
又、送信元の端末は、制限内容を示すアドレスを宛先「Ｔｏ：」に設定し、メッセージの本文の１行目に、最終の送信先、即ち、メッセージを届けたい送信先のアドレスを記載しておいてもよい。この場合、メッセージ変換装置５０や変換ノードでは、著作権制御情報を付加すると共に、宛先に設定されている制限内容を示すアドレスを、本文の１行目に記載された最終の送信先に置換する。又、送信元の端末が、著作権に基づく制限を希望する場合には、宛先に制限内容を示すアドレスを設定し、制限を希望しない場合には、宛先に制限内容を示すアドレスを設定せずに、最終の宛先を設定することにより、制限を希望するか否かを選択して、その意思表示をすることができる。よって、メッセージ変換装置５０や変換ノードは、その送信元の意志表示に基づいてメッセージを変換できる。
【００７９】
更に、図１２、１３では、メッセージ変換装置５０は、メッセージ方式Ａシステム１００ａ又はメッセージ方式Ｂシステム１００ｂから、メッセージ方式Ｃシステム１００ｃへの著作権制御情報が付与されたメッセージを受信した場合、文字列を付加する変換を行って、メッセージ方式Ｃシステム１００ｃへメッセージを送信している。メッセージ変換装置５０は、メッセージ方式Ｃ端末１０ｃ宛のメッセージを受信した場合には、このようなメッセージの変換、送信に代えて、或いは、メッセージの送信、変換に加えて、以下のような処理を行ってもよい。
【００８０】
メッセージ変換装置５０は、受信したメッセージ方式Ｃ端末１０ｃ宛のメッセージを変換せずに、送信元のメッセージ方式Ａ端末１０ａやメッセージ方式Ｂ端末１０ｂに返送する。又は、メッセージ変換装置５０は、送信元のメッセージ方式Ａ端末１０ａやメッセージ方式Ｂ端末１０ｂに、確認メッセージを送信し、その応答に従って変換、送信を行う。確認メッセージとは、著作権制御なし方式のメッセージ方式Ｃシステム１００ｃにメッセージを送信してもよいか否かを確認するメッセージである。メッセージ変換装置５０は、メッセージ送信を希望する応答の場合には、受信したメッセージ方式Ｃ端末１０ｃ宛のメッセージを変換し、送信する。一方、メッセージ変換装置５０は、メッセージ送信を希望しない応答の場合には、メッセージを送信元のメッセージ方式Ａ端末１０ａやメッセージ方式Ｂ端末１０ｂに返送する。
【００８１】
或いは、メッセージ変換装置５０は受信したメッセージ方式Ｃ端末１０ｃ宛のメッセージを変換、送信すると共に、送信元のメッセージ方式Ａ端末１０ａやメッセージ方式Ｂ端末１０ｂに警告メッセージを送信する。警告メッセージとは、送信先が著作権制御なし方式を採用するメッセージ方式Ｃシステム１００ｃであるため、メッセージ方式Ｃ端末１０ｃが著作権に基づく制限内容に従うことを保証できないことを通知するメッセージである。
【００８２】
更に、メッセージ変換装置５０は、文字列の付加に加えて、受信したメッセージ方式Ｃ端末１０ｃ宛のマルチメディアメッセージに含まれるマルチメディア情報も変換して送信してもよい。例えば、変換部５２は、予め決められた変換内容に従ってマルチメディア情報を変換する。変換内容としては、万が一、送信先のメッセージ方式Ｃ端末１０ｃが著作権に基づく制御内容に従わなかった場合に、問題のない程度までマルチメディア情報の価値を減じるような内容を定めることができる。例えば、マルチメディア情報に含まれるマルチメディア要素の画素数や色数を減じたり、和音数や音声の長さを短縮したりするといった変換内容を定めることができる。
【００８３】
メッセージ変換装置５０がこのような処理を行うことにより、著作権制御を行わないシステムへメッセージを送信する場合のリスクを軽減できる。尚、メッセージ変換装置５０は、受信したメッセージ方式Ｃ端末１０ｃ宛のメッセージに、著作権制御情報が含まれない場合には、そのままメッセージ方式Ｃシステム１００ｃにメッセージを送信する。
【００８４】
又、図１に示したメッセージシステム１００では、各システムから独立して、各システムの間にメッセージ変換装置５０を設置しているが、メッセージ変換装置５０を、メッセージ方式Ａシステム１００ａ、メッセージ方式Ｂシステム１００ｂ、メッセージ方式Ｃシステム１００ｃのいずれかのシステム内に設置してもよい。更に、メッセージ方式サーバ４０ａ、メッセージ方式Ｂサーバ４０ｂ又はメッセージ方式サーバ４０ｃのいずれかと、メッセージ変換装置５０とを一体で構成してもよい。
【００８５】
又、メッセージ変換装置５０は、送信先の端末が採用する著作権制御方式に適合するようにメッセージを変換してもよい。例えば、図２では、メッセージシステム１００に含まれる各システム、メッセージ方式Ａシステム１００ａ、メッセージ方式Ｂシステム１００ｂ、メッセージ方式Ｃシステム１００ｃはそれぞれ、単独の著作権制御方式を採用している。しかし、１つのシステムが、メッセージ単位著作権制御方式と要素単位著作権制御方式を併用してもよい。このような複数の著作権制御方式を併用する同一のシステム内におけるメッセージの送受信においても、メッセージ変換装置５０は、送信先の端末が採用する著作権制御方式にメッセージを変換することができ、著作権制御情報を適切に伝えることができる。
【００８６】
又、メッセージ方式Ａ端末１０ａやメッセージ方式Ｂ端末１０ｂであっても、その機種によって、メッセージ単位著作権制御方式や要素単位著作権制御方式に対応しておらず、著作権に基づく制御を行わない著作権制御なし方式の端末がありうる。そのため、例えば、メッセージ変換装置５０は、メッセージ方式Ａサーバ４０ａやメッセージ方式Ｂサーバ４０ｂから送信先の端末の機種を取得する。そして、メッセージ変換装置５０は、送信先のメッセージ方式Ａ端末１０ａやメッセージ方式Ｂ端末１０ｂが、メッセージ単位著作権制御方式や要素単位著作権制御方式に対応している機種か否かを判断する。メッセージ変換装置５０は、対応していない著作権制御なし方式の端末には、メッセージ方式Ｃシステム１００ｃ宛のメッセージと同様の変換を行う。その場合、メッセージ変換装置５０は、上記したメッセージの返送、確認メッセージや警告メッセージの送信、マルチメディ情報の変換などを行うこともできる。
【００８７】
特に、メッセージ変換装置５０を、メッセージ方式Ａシステム１００ａやメッセージ方式Ｂシステム１００ｂ内に設置した場合や、メッセージ方式サーバ４０ａ又はメッセージ方式Ｂサーバ４０ｂと、メッセージ変換装置５０とを一体で構成した場合には、メッセージ変換装置５０は、送信先の端末の機種を、メッセージ方式サーバ４０ａやメッセージ方式Ｂサーバ４０ｂから容易に取得できるため、有効である。このように、メッセージ変換装置５０によれば、著作権制御方式が異なる端末間でもマルチメディアメッセージを適切に送受信できる。
【００８８】
更に、メッセージ変換装置５０が、ＷＷＷサーバ部を備えるようにしてもよい。メッセージ変換装置５０は、受信したマルチメディアメッセージに含まれるマルチメディア情報をＷＷＷサーバ部に格納して、その格納先を示すＵＲＬアドレスを含むメッセージを送信先の端末に送信する。そして、ＷＷＷサーバ部は、送信先の端末がＵＲＬアドレスにアクセスし、ブラウザによる閲覧を行う際に、格納していたマルチメディア情報を含むメッセージを送信する。この場合、メッセージ変換装置５０は、格納先を示すＵＲＬアドレスを通知するメッセージ、格納していたマルチメディア情報を含むメッセージのいずれについても、著作権制御情報や著作権に関する文字列を付加して変換を行うことができる。更に、ＷＷＷサーバ部は、マルチメディア情報を含むメッセージの送信先を、格納先を示すＵＲＬアドレスを通知するメッセージを受信した端末に制限してもよい。
【００８９】
又、端末間でのメッセージの送受信だけでなく、例えば、著作権による制限のあるマルチメディア情報をＣＰから購入する場合のように、ＣＰサーバと端末間でのメッセージの送受信などにも応用できる。又、メッセージ方式Ａシステム１００ａの例として、ＭＭＳを行うシステム、メッセージ方式Ｂシステム１００ｂの例として、ｉ−ｍｏｄｅ（登録商標）システムを挙げたが、各システムの種類はこれらに限定されない。更に、図１に示したメッセージシステム１００に含まれる各システムはそれぞれ、移動通信網Ａ３０ａ、移動通信網Ｂ３０ｂ、移動通信網Ｃ３０ｃを用いているが、メッセージシステム１００は、移動通信網を用いるものに限定されず、広く一般のメッセージシステムに対しても適用可能である。
【図面の簡単な説明】
【００９０】
【図１】本発明の実施の形態に係るメッセージシステムの構成を示す図である。
【図２】本発明の実施の形態に係るマルチメディアメッセージの変換を示す図である。
【図３】本発明の実施の形態に係るメッセージ単位著作権制御方式のマルチメディアメッセージを示す図である。
【図４】本発明の実施の形態に係る要素単位著作権制御方式のマルチメディアメッセージを示す図である。
【図５】本発明の実施の形態に係る著作権制御なし方式のマルチメディアメッセージを示す図である。
【図６】本発明の実施の形態に係るメッセージ変換装置の構成を示すブロック図である。
【図７】本発明の実施の形態に係る著作権制御情報に基づくメッセージ単位著作権制御方式から要素単位著作権制御方式への変換を示す図である。
【図８】本発明の実施の形態に係る文字列に基づくメッセージ単位著作権制御方式から要素単位著作権制御方式への変換を示す図である。
【図９】本発明の実施の形態に係る著作権制御情報に基づく要素単位著作権制御方式からメッセージ単位著作権制御方式への変換を示す図である。
【図１０】本発明の実施の形態に係るマルチメディア要素の分類を行う要素単位著作権制御方式からメッセージ単位著作権制御方式への変換を示す図である。
【図１１】本発明の実施の形態に係る文字列に基づく要素単位著作権制御方式からメッセージ単位著作権制御方式への変換を示す図である。
【図１２】本発明の実施の形態に係る著作権制御なし方式とメッセージ単位著作権制御方式との間の変換を示す図である。
【図１３】本発明の実施の形態に係る著作権制御なし方式と要素単位著作権制御方式との間の変換を示す図である。
【図１４】本発明の実施の形態に係るメッセージ方式Ａシステムとメッセージ方式Ｂシステムとの間の通信方法の手順を示すフロー図である。
【図１５】本発明の実施の形態に係るメッセージ方式Ｃシステムと、メッセージ方式Ａシステム又はメッセージ方式Ｂシステムとの間の通信方法の手順を示すフロー図である。
【図１６】従来のメッセージ単位著作権制御方式に従うシステムにおける通信方法の手順を示すフロー図である。
【図１７】従来の要素単位著作権制御方式に従うシステムにおける通信方法の手順を示すフロー図である。
【符号の説明】
【００９１】
１０ａ  メッセージ方式Ａ端末
１０ｂ  メッセージ方式Ｂ端末
１０ｃ  メッセージ方式Ｃ端末
２０ａ，２０ｂ，２０ｃ  無線基地局
３０ａ  移動通信網Ａ
３０ｂ  移動通信網Ｂ
３０ｃ  移動通信網Ｃ
４０ａ  メッセージ方式Ａサーバ
４０ｂ  メッセージ方式Ｂサーバ
４０ｃ  メッセージ方式Ｃサーバ
５０  メッセージ変換装置
５１ａ  メッセージ方式Ａシステムインタフェース
５１ｂ  メッセージ方式Ｂシステムインタフェース
５１ｃ  メッセージ方式Ｃシステムインタフェース
５２  変換部
５３  メッセージ方式データベース
１００  メッセージシステム
１００ａ  メッセージ方式Ａシステム
１００ｂ  メッセージ方式Ｂシステム
１００ｃ  メッセージ方式Ｃシステム
２１０  ＭＭＳ端末
２２０  ＭＭＳリレー／サーバ
２３０  ＣＰサーバ
３１０，３３０  移動端末
３２０  メッセージサーバ
【図１】
2005100024.tif 000003
【図２】
2005100024.tif 000004
【図３】
2005100024.tif 000005
【図４】
2005100024.tif 000006
【図５】
2005100024.tif 000007
【図６】
2005100024.tif 000008
【図７】
2005100024.tif 000009
【図８】
2005100024.tif 000010
【図９】
2005100024.tif 000011
【図１０】
2005100024.tif 000012
【図１１】
2005100024.tif 000013
【図１２】
2005100024.tif 000014
【図１３】
2005100024.tif 000015
【図１４】
2005100024.tif 000016
【図１５】
2005100024.tif 000017
【図１６】
2005100024.tif 000018
【図１７】
2005100024.tif 000019